(57)【要約】【課題】軟質の本体をもつルアーにおいて、ルアーに魚がかかったときに、釣り人とルアーにかかった魚との引っ張り合う力によって、本体が欠損や破損しにくいルアーを提供することにある。【解決手段】小魚等の生き餌形状に成形された弾性材料からなるほぼ中実の本体１と、本体に埋め込まれ交差する二面を有するとともに、その交差位置付近に釣り糸、両端に釣り針を各々連結しうる連結部が設けられた連結プレート２とを備え、前記交差位置付近に設けられた第一の連結部２ａに、この第一連結部に対して回転可能な剛性の連結具６が取り付けられ、前記釣り糸はこの連結具を介して第一連結部２ａに連結され、前記連結プレート２が一端を背に向け、他端を腹に向け、交差する二面によって形成される鈍角を口に向けて本体に埋め込まれている。【選択図】図１
2004081017.tif 000002
【特許請求の範囲】
【請求項１】
小魚、虫、甲殻類等の生き餌形状に成形された弾性材料からなるほぼ中実の本体と、
本体に埋め込まれ交差する二面を有するとともに、その交差位置付近に釣り糸、両端に釣り針を各々連結しうる連結部が設けられた連結プレートと
を備えることを特徴とするルアー。
【請求項２】
前記交差位置付近に設けられた第一の連結部に、この第一連結部に対して回転可能な剛性の連結具が取り付けられ、前記釣り糸はこの連結具を介して第一連結部に連結される請求項１に記載のルアー。
【請求項３】
前記連結プレートは、交差する前記二面と直交する面で切断して得られる断面視でＹ字形をなす１枚板からなり、そのＹ字の両腕部を前記二面とするとき、Ｙ字の脚部を本体の外に露出させ、露出した脚部に前記釣り糸が連結される請求項１に記載のルアー。
【請求項４】
前記生き餌形状が小魚形状であって、前記連結プレートが一端を背に向け、他端を腹に向け、交差する二面によって形成される鈍角を口に向けて本体に埋め込まれている請求項１に記載のルアー。
【請求項５】
更に、連結プレートの面方向の移動に対して抵抗となる抵抗体が連結部の周囲に配されている請求項１に記載のルアー。
【請求項６】
前記抵抗体が連結部を単独で包囲するコイルスプリングである請求項５に記載のルアー。
【請求項７】
前記生き餌形状が小魚形状であって、その小魚形状が胴、胴に対して上向きに傾いた尾鰭及び尾鰭の端で上方に突出した水掻きを有する請求項１に記載のルアー。
【請求項８】
更に、前記連結プレートの両端に設けられた第二の連結部に釣り針が連結されたとき、その釣り針を外部の障害物から保護する保護具を備える請求項１に記載のルアー。
【請求項９】
前記保護具が本体と同質の柱状体からなり、その柱状体の端面に釣り針を刺すことにより釣り針を保護する請求項８に記載のルアー。
【発明の詳細な説明】
【０００１】
【発明の属する技術分野】
この発明は、ルアーに属し、特にスイムベイトに好適に利用されうるルアーに関する。
【０００２】
【従来の技術】
図１１は、現在発売されているスイムベイトと称するルアーの代表的な内部構造の一例である。図のルアーは生き餌形状に成形された軟質合成樹脂の本体７１、釣り糸を接続するための連結部６３、釣り糸と釣り針を連結するための手段１３、１４としての紐等を備えている。１５は、ルアーの動きを安定させるための錘、６３は釣り針や釣り糸を連結するための補助手段で一般的には連結部やスイベルが用いられている。５４は釣り針を示す。上記釣り糸と釣り針を連結するための手段１３、１４と錘１５は本体７１の内部に埋め込まれる形で構成されている。本ルアーの使用方法としては、連結部６３に釣り糸を接続し、釣り人によって操作が行われ、水中を泳がすことで生物的な動きを発生させ、肉食魚を食いつかせることを目的としている。
【０００３】
図１２は、釣り糸と釣り針を接続する手段として金属製ワイヤを用いたスイムベイトの内部構造の一例である。図において釣り糸と釣り針６４を連結するための手段１７として直線形状に整形されたワイヤが用いられている。１１５は金属製ワイヤをかしめる手段である一方、本体の泳ぎを安定させるための錘の役目も果たしている。また、錘１１５の代用として、一般的に流通している中通し型の錘等を用いている物もある。
図１３は、錘一体型の釣り針を内部に備えたスイムベイトの内部構造の一例である。図において、１８は錘一体型の釣り針で一般にジグヘッドと称され、鉛等で整形されたさまざまな形状のものが存在する。図１３に示したタイプは、釣り針が本体上部に露出したものが多く、広く一般に普及している。
【０００４】
【発明が解決しようとする課題】
図１１および図１２で示したような従来の内部構成は、釣り糸と釣り針を連結する手段１３，１４，１７としてワイヤや紐といった本体に対して細い形状の物が用いられている。そのためルアーに魚がかかった場合、釣り人が魚を引き寄せようとする力と魚が逃げようとする力が釣り糸と釣り針を連結する手段に一直線上にかかろうとする。この力がワイヤや紐といった本体に対して非常に細い部分に集中し、図１１に示したように本体後方に位置する釣り針５４に魚がかかった場合、連結部６３と後方に位置する釣り針５４が一直線状になろうとするため、例えば図１１の想像線で示すように連結手段１４が本体７１から出るとともに本体７１が欠損または破損するということがあった。
【０００５】
本体の欠損や破損を防ぐために本体の材質を硬質なものにする方法も考えられるが、ルアーは、その動作が生物的なことを前提とされるので、本体の硬質化は好ましくない。また、本体の材質が上記理由により、ある程度の柔らかさが必要となるため、何匹かの魚を釣り上げた場合、本体が欠損あるいは破損しなくても、釣り糸連結部や釣り針連結部の本体側に傷や裂けが生じ、ルアーの動作や釣り針の保持位置が安定しない原因となる。
さらに、図１１および図１２で示した従来の内部構成では、上記本体の頭部上方に釣り針を保持させることが出来ず、魚が本体頭部上方から食いつこうとする場合は、針掛かりする確率が極端に少なくなるということが考えられる。
また、図１３に示した錘一体型釣り針１８を内部に備えたものについても複数の釣り針を連結及び保持させることは困難で、魚が掛かった場合においても釣り人が魚を引き寄せようとする力と魚が逃げようとする力が釣り針の軸部分に集中するため、本体９１が欠損・破損するということがあった。
【０００６】
さらに、従来のスイムベイトと称する本体の形状は、本体頭部から尾鰭部にかけてぼぼ直線状もしくはゆるやかなカーブ状にデザインされており、水かき部分が本体に対して下方向に突出する形状となっている。この形状はルアーを水中で操作する際に、水面と比較して比重の重い水をかくこととなる。この水かき動作によってルアーアクションが成立している。しかし、ルアーは沈めて使用した場合、早く引く操作を行うと水圧により本体が回転してしまい、正常に動作させることができない。そのため、ルアーはゆっくりとした動作で操作する必要性が生じ、釣りの対象となる魚に擬似餌と見破られる可能性が高くなってしまう。
また、ルアーは、使用する場合、水面または水中に生息する藻類などの障害物に対して釣り針が露出しているため、釣り針がそれらにひっかかることがある。現在まで、藻類などの障害物に対して引っかからないようにする、いわゆるウィードレスタイプ、例えば特開２００２−１５３１６６号公報に示された従来の釣り用ルアーおよび釣り用ルアーに用いるフックのように別種類のルアーおよび釣り針が発明されている。しかし、本発明に係わるスイムベイトと称するルアーに対する有効な手段は存在しない。
【０００７】
それ故にこの発明の課題は、軟質の本体をもつルアーにおいて、ルアーに魚がかかったときに、釣り人とルアーにかかった魚との引っ張り合う力によって、本体が欠損や破損しにくいルアーを提供することにある。また、釣り人がルアーを速く引いても安定して魚が泳ぐ動作ができるルアーを提供することにある。更に、釣り針が障害物に引っ掛かかりにくいルアーを提供することにある。
【０００８】
【課題を解決するための手段】
その課題を解決するために、この発明のルアーは、
小魚、虫、甲殻類等の生き餌形状に成形された弾性材料からなるほぼ中実の本体と、
本体に埋め込まれ交差する二面を有するとともに、その交差位置付近に釣り糸、両端に釣り針を各々連結しうる連結部が設けられた連結プレートと
を備えることを特徴とする。
【０００９】
ここで、本体を構成する弾性材料は、例えば軟質樹脂、ゴムである。連結プレートは金属、ＦＲＰ、炭素繊維などのように、魚が引っ張る力などの通常の使用中にかかる負荷に対して十分耐える強度を有する材料からなる。この発明のルアーによれば、魚が食いつくまでは釣り糸は連結プレートの交差する二面のいずれに対しても角度を有する方向に延びている。そして、連結プレートの両端に連結された釣り針の一方に魚が食いつくと、釣り人の引く力と魚の逃げようとする力とが連結プレートにかかる。それに伴って連結プレートが本体内部を移動して釣り糸、連結プレートの交差する二面の一つ（第一面）及び釣り針がその力の方向に沿って一直線上に整列しようとする。このとき、その力の移動方向の分力を連結プレートの当該一面全体で受けるので、その分力が面全体に分散され単位面積当たりに受ける力が小さくなる。その結果、連結プレートの移動に伴って本体が若干弾性変形するに止まり、本体の引き裂きが防がれる。
【００１０】
魚が他方の釣り針に食いついた場合は、連結プレートの移動方向の分力が反対を向いているので、連結プレートの交差する二面の他方でその分力を受ける以外は同様の作用を生じる。
この発明のルアーにおいて、前記交差位置付近に設けられた第一の連結部に、この第一連結部に対して回転可能な剛性の連結具が取り付けられ、前記釣り糸はこの連結具を介して第一連結部に連結されると好ましい。連結プレートに対する連結具の回転運動によって、連結プレートが釣り人の力と魚の力とを結ぶ直線上に速やかに誘導され、本体に負荷をかけることなく全ての力を連結プレートが受けることができる。その結果、本体の引き裂き防止が一層確実となるからである。
【００１１】
また、前記連結プレートは、交差する前記二面と直交する面で切断して得られる断面視でＹ字形をなす１枚板からなり、そのＹ字の両腕部を前記二面とするとき、Ｙ字の脚部を本体の外に露出させ、露出した脚部に前記釣り糸が連結されるようにしてもよい。第一連結部を本体の外に露出させることで、上記の連結具を取り付けなくても釣り糸で本体が引き裂かれるのを防止することができるからである。
本体内部における連結プレートの配置方法は限定されないが、前記生き餌形状が小魚形状であるとき、前記連結プレートが一端を背に向け、他端を腹に向け、交差する二面によって形成される鈍角を口に向けて本体に埋め込まれていると好ましい。この配置を採るとき、ルアーが水中で釣り糸に引かれながら魚の如く口を先頭にして泳ぐからである。
【００１２】
この発明のルアーにおいて、本体及び連結プレートに加えて更に、連結プレートの面方向の移動に対して抵抗となる抵抗体が連結部の周囲に配されていると好ましい。連結プレートに面方向に移動させようとする力が作用しても、連結プレートの端面が直接その力を受けるのではなく、抵抗体を介して受けるので、連結プレートの端面で本体が引き裂かれるのを防止することができるからである。この抵抗体として好ましいのは、連結部を単独で包囲するコイルスプリングである。
【００１３】
前記生き餌形状が小魚形状であって、その小魚形状が胴、胴に対して上向きに傾いた尾鰭及び尾鰭の端で上方に突出した水掻きを有すると好ましい。このような形状は、連結プレートの有無に関わらず、水中でルアーを引く操作を行った場合において、本体を下に沈めようとする力が生じる。そのため、本発明のルアーは安定してより深い水深で操作を行うことができる。
更に、前記連結プレートの両端に設けられた第二の連結部に釣り針が連結されたとき、その釣り針を外部の障害物から保護する保護具を備えると望ましい。前記保護具が本体と同質の柱状体からなり、その柱状体の端面に釣り針を刺すことにより釣り針を保護する。釣り針は、保護具によりその針先をカバーされているので、藻類及び障害物に引っ掛かることを防止できる。
【００１４】
【発明の実施の形態】
−実施形態１−
この発明の実施形態１を図面とともに説明する。図１はこの実施形態のルアーの縦断面図である。図２は連結プレート２及び第一連結部６を示す斜視図である。このルアーは、本体１、連結プレート２、釣り針４及び連結具３，６，１９を備えている。
【００１５】
本体１は小魚形状に成形され、ほぼ中実の軟質樹脂製である。連結プレート２は、交差する二面を有し、その交差する二面と直交する面で切断して得られる断面視でＶ字形をなす１枚板でアルミニウム製である。そして、各々の面の先端は半円形状に成形され、またその交差位置付近及び先端付近の面には各々丸穴が開けられ第一連結部２ａ及び第二連結部２ｂとされている。連結具３及び連結具１９は二重環状に巻かれた密着バネ状で鋼線で作られている。釣り針４は針先が三つ又に分かれた形状をしていて、その針先と反対方向の軸部の先端部分には連結具１９を通す穴が開いていて、鋼製である。連結具３と第一連結部２ａを接続する連結具６は鋼線で作られていて、こけし状の外形をもつリングである。本体１が成形されるときは連結プレート２、及びその第一連結部２ａに通された連結具６も本体１と一体となるように埋め込まれる。その配置は、連結プレート２のＶ字の鈍角側を本体１の口の部分にむけて、Ｖ字の二面の両端面一方を小魚形状の頭部に、もう一方を腹部に向け、連結具６の先端と連結プレート２の両端の第二連結部２ｂが本体１から露出するようにされている。そして、連結プレート２の２つの第二連結部２ｂには、各々連結具１９が通され、それらの連結具１９に各々釣り針４が取り付けられている。また、連結具３には、釣り糸（図示略）が取り付けられる。
【００１６】
以上の構成により、この実施形態１のルアーは、魚が食いつくまでは釣り糸は連結プレート２の交差する二面のいずれに対しても角度を有する方向に延びている。そして、連結プレート２の両端に連結された釣り針４の一方に魚が食いつくと、釣り人の引く力と魚の逃げようとする力とが連結プレート２にかかる。それに伴って連結プレート２が本体内部を移動して釣り糸（図示略）、連結具３、連結具６、連結プレート２の交差する二面の一つ（第一面）及び釣り針４がその力の方向に沿って一直線上に整列しようとする。このとき、その力の移動方向の分力を連結プレート２の第一面全体で受けるので、その分力が面全体に分散され単位面積当たりに受ける力が小さくなる。その結果、連結プレート２の移動に伴って本体１が若干弾性変形するに止まり、本体１の引き裂きが防がれる。
魚が他方の釣り針４に食いついた場合は、連結プレート２の移動方向の分力が反対を向いているので、連結プレート２の交差する二面の他方（第二面）でその分力を受ける以外は同様の作用を生じる。
【００１７】
−実施形態２−
この発明の実施形態２を図面とともに説明する。図３はこの実施形態のルアーの縦断面図である。図４は連結プレート２２を示す斜視図である。このルアーは、本体２１、連結プレート２２、連結具２３及び釣り針２４を備えている。
本体２１は小魚形状に成形され、ほぼ中実の軟質樹脂製である。連結プレート２２は、交差する二面を有し、その交差する二面と直交する面で切断して得られる断面視でＹ字形をなす１枚板でアルミニウム製である。そして、各々の面の先端は半円形状に成形され、またそのＹ字の脚部先端付近及び両腕部先端付近の各面には各々第一連結部２２ａ及び第二連結部２２ｂとしての丸穴が開けられている。第一連結部２２ａには連結具２３、第二連結部２２ｂには連結具１１９が通されている。連結具２３及び連結具１１９は二重に巻かれた密着バネ状で鋼線で作られている。釣り針２４は釣り針の針先が三つ又に分かれた形状をしていて、その針先と反対方向の軸部の先端部分には連結具１１９を通す穴が開いていて、鋼製である。本体２１が成形されるとき、連結プレート２２も本体２１と一体となるように埋め込まれる。その配置は、Ｙ字の両腕部の一方を小魚形状の頭部に、もう一方を腹部に、また脚部を小魚形状の口部に向け、それらの先端の第一、第二連結部２２ａ、２２ｂとしての穴が本体から露出するようにする。また、連結具１１９には各々釣り針２４が取り付けられ、連結具２３には釣り糸（図示略）が取り付けられる。
【００１８】
以上の構成により、この実施形態２のルアーは連結プレート２２の釣り糸取り付け部となる第一連結部２２ａを本体２１の外に露出させることで、実施形態１における連結具６を取り付けなくても、釣り糸で本体３１が引き裂かれるのを防止することができる。
【００１９】
−実施形態３−
この発明の実施形態３を図面とともに説明する。図５はこの実施形態のルアーの断面図である。図６（ａ）〜（ｃ）は各連結具を示す正面図である。この実施形態３の構成は、実施形態１の構成に連結具７ａと連結具２１９と釣り針３４が一組追加されていることを除いては実施形態１と同様である。
連結具７ａは、図６（ａ）に示すようにワイヤ７ａａとスリーブ７ａｃとで構成されている。連結具７ａは、ワイヤ７ａａの両端を適度な長さに折り返し、その折り返した部分にスリーブ７ａｃを通してワイヤ７ａａにより輪７ａｂができる位置でスリーブ７ａｃに径方向に力を加えてかしめることで形成されている。連結具７ａは、連結具６にその一端の輪７ａｂを通されて、他端の輪７ａｂを本体３１の腹部後方もしくは尾鰭根元付近に露出されている。連結具７ａは、その時かしめられたスリーブ７ａｃが両方ともその幅広の面が水平となる方向に向けられて、連結プレート２とともに本体３１に埋め込まれている。露出された輪７ａｂには、輪状の連結具２１９が通されて繋げられ、連結具２１９には３つめの釣り針３４が通されて繋げられている。
【００２０】
また、連結具７ａの別の手段として図６（ｂ）に示す連結具７ｂ、図６（ｃ）に示す連結具７ｃが考えられる。連結具７ｂは、プラスチックまたは金属製で、長寸状の一枚板で、その両端には上記の輪７ａｂに相当する丸穴７ｂｂが貫通され成形されている。連結具７ｃは魚の背骨形状で、その長寸方向の両端には輪７ａｂに相当する丸穴７ｃｂが開けられている。連結具７ｂ、連結具７ｃは連結具７ａと同様にその幅広の面が水平となる方向に向けられて、連結プレート２とともに本体１に埋め込まれている。
【００２１】
以上の構成より、この実施形態３のルアーは実施形態１と比べて釣り針３４を一つ多く取り付けることができ、且つ、連結具７ａはワイヤや紐だけのものと比べ、スリーブ７ａｃより応力を受ける面をもっているため、本体１が欠損も破損もしにくい。また、連結具７ｂは応力を受ける面が連結部７ａより広いため、より応力を分散できる。更に、連結具７ｃは幹骨部が細い魚の背骨形状をしているので、多数の枝骨部によって応力を受ける面をもちつつ生きた魚のような滑らかな動きを示すうえ、ルアーの外観が一層本物に近似しており、肉食魚を寄せやすい。
【００２２】
−実施形態４−
この発明の実施形態４を図面とともに説明する。図７はこの実施形態のルアーの長寸方向に沿う部分縦断面図である。図８（ａ）は図７のＡ矢視図、図８（ｂ）は図７のＢＢ断面図である。この実施形態のルアーは、実施形態１とともに図示したルアーと同じ形態を有するものであるが、その構成及び作用効果を改めて詳しく説明する。
【００２３】
即ち、本体１が胴４１と胴４１に対して上方向に角度の異なっている尾鰭部８を有し、なおかつ、水かきをする部分である水掻部９が上方向に突出した形状になっている。この構成により、この実施形態のルアーは、下向きに水掻きがついているものと比べ、水面に近くて水圧の低い水をかくこととなり、水が後方に抜けやすくなる。そのため、水掻部９の動作は常に安定し、水中でルアーを引く操作を行った場合においてもルアーを下に沈めようとする力が生じる。その結果、このルアーは安定してより深い水深で操作を行うことができる。
また、このルアーは図８（ｂ）に示すように尾鰭部８において上半部よりも下半部が太い形状に成型されており、投げて水面に着水したと同時に引く動作を行った場合でも、従来のものよりも速やかに浮力が生じて安定に操作することができる。
【００２４】
−実施形態５−
この発明の実施形態５を図面とともに説明する。図９は実施形態５のルアーの底面図である。実施形態５のルアーは、円筒状で軟質樹脂製の保護具１０を有し、その保護具１０は実施形態１における２つの連結具１９のうち腹側に設けられた一つのリング内側に通され、連結具１９によって保持されている。そして、三つ又に分かれた釣り針４は、その針先の内一本を本体１に刺し、残りの２本を保護具１０の両側端面に刺すことにより保持されている。そして、魚がルアーに食いついたときは、その衝撃により保護具１０から釣り針４の針先が外れ、あるいは保護具１０を釣り針４の針先が突き破って魚がかかるようになっている。その他の構成は実施形態１と同様である。
【００２５】
この保護具１０を用いれば、ルアーを水中で操るとき針先が保護具１０に刺されて隠されているため、ルアーが藻類などの障害物に引っ掛かりにくくすることができる。また、魚は藻などの障害物があるところに集まる習性があるため、この実施形態のルアーは意図的に藻類および障害物に接近させて操作させることができ、高い釣果を得ることが出来る。
【００２６】
−実施形態６−
この発明の実施形態６を図面とともに説明する。図１０はこの実施形態のルアーの断面図である。この実施形態６の実施形態１と異なる点は、平行リング１１とコイルスプリング１２が追加されたことである。平行リング１１は、長穴形状の外形をもつリングで、鋼線で作られている。コイルスプリング１２は、平行リング１１の平行部外形より僅かに大きい内径を持ち、鋼線で作られている。また連結プレート４２は両端は本体６１から出ずに、替わりに連結プレート４２の先端部分に設けられた第二連結部４２ｂとなる各丸穴には平行リング１１が取り付けられ、平行リング１１に連結具４１９が取り付けられている。また、平行リング１１の外側には、コイルスプリング１２が第二連結部４２ｂを被るところまで巻くようにして取りつけられている。そして連結具４１９がそのリング状部分の半分程本体６１から外に出た状態で、上記連結された部品は本体６１と一体となるように埋め込まれている。その他の構成は実施形態１と同様である。
【００２７】
この実施形態では、連結プレート４２の面に対して垂直方向の力だけではなく、連結プレート４２を面方向に移動させようとする力が作用しても、コイルスプリング１２がその移動に対して抵抗するので、連結プレート４２の端面が直接その力を受けるのではなく、コイルスプリング１２を介して受ける。よって、本体６１が連結プレート４２の端面で引き裂かれるのを防止することができる。
【００２８】
【発明の効果】
以上のように、本発明によれば、ルアーを構成する部品によって本体の破損を防止できるので、耐久性の良い経済的なルアーを提供することができる。
また、本発明のルアーは従来のもの比べ高速で動かすことができるので、魚にルアーと見抜かれることが少なく、高い釣果を得ることができる。
【図面の簡単な説明】
【図１】本発明の実施形態１のルアーを示す長寸方向に沿う縦断面図である。
【図２】本発明の実施形態１の連結プレート及び連結具を示す斜視図である。
【図３】本発明の実施形態２のルアーを示す長寸方向に沿う縦断面図である。
【図４】本発明の実施形態２の連結プレートを示す斜視図である。
【図５】本発明の実施形態３のルアーを示す長寸方向に沿う縦断面図である。
【図６】（ａ）〜（ｂ）は本発明の実施形態３のルアーに適用される種々の連結具を示す平面図である。
【図７】本発明の実施形態４のルアーを示す長寸方向に沿う部分縦断面図である。
【図８】（ａ）は図７のＡ矢視図、（ｂ）は図７のＢＢ断面図である。
【図９】本発明の実施形態５のルアーを示す部分底面図である。
【図１０】本発明の実施形態６のルアーを示す長寸方向に沿う部分縦断面図である。
【図１１】従来のルアーを示す長寸方向に沿う縦断面図である。
【図１２】従来の別のルアーを示す長寸方向に沿う縦断面図である。
【図１３】従来の更に別のルアーを示す長寸方向に沿う縦断面図である。
【符号の説明】
１、２１、６１、７１、８１、９１　本体
２、２２、４２　連結プレート
３、２３、１９、１１９　連結具
４、４４、５４、６４　釣り針
６　連結具
８　尾鰭部
９　水掻部
１０　保護具
１１　平行リング
１２　コイルスプリング（抵抗体）
４１　胴
【図１】
2004081017.tif 000003
【図２】
2004081017.tif 000004
【図３】
2004081017.tif 000005
【図４】
2004081017.tif 000006
【図５】
2004081017.tif 000007
【図６】
2004081017.tif 000008
【図７】
2004081017.tif 000009
【図８】
2004081017.tif 000010
【図９】
2004081017.tif 000011
【図１０】
2004081017.tif 000012
【図１１】
2004081017.tif 000013
【図１２】
2004081017.tif 000014
【図１３】
2004081017.tif 000015